(57)【要約】【課題】注水蓋体の給水路に残った残水が、サイフォン方式の洗剤収容部に滴下するのを防止する。【解決手段】洗剤収容容器２１は、液体仕上剤収容部２４と、洗剤収容容器２１に注水を行う注水蓋体３０と、液体仕上剤収容部２４内の液体仕上剤を含む液体がサイフォンの原理で前記水槽内に排出される液体仕上剤投入路２４ａとを備え、注水蓋体３０は、液体仕上剤収容部２４に給水する給水路３１ｂおよび注水口３３と、給水路３１ｂに設けられ液体仕上剤収容部２４外に通じる残水抜き用の水抜き穴３５と、注水口３３から水抜き穴３５に向かって降下する傾斜部３６とを有する構成としたことにより、脱水時、機体が振動した場合にも、注水蓋体３０の給水路３１ｂに残った残水が、傾斜部３６により注水口３３部へ流出することなく、水抜き穴３５より液体仕上剤収容部２４外に排出されるため、液体仕上剤収容部２４に残水が滴下するのを防止することができる。【選択図】図４
2013009810.tif 000002
【特許請求の範囲】
【請求項１】
略水平方向または傾斜方向に回転中心軸を有する回転ドラムと、前記回転ドラムを内包する水槽と、洗剤を収容する洗剤収容容器と、前記洗剤収容容器に設けられた洗剤収容部と、前記洗剤収容容器に設けられ液体仕上剤を収容する液体仕上剤収容部と、前記洗剤収容容器に注水を行う注水蓋体と、前記液体仕上剤収容部内の液体仕上剤を含む液体がサイフォンの原理で前記水槽内に排出される液体仕上剤投入路とを備え、前記注水蓋体は、前記液体仕上剤収容部に給水する給水路および注水口と、前記給水路に設けられ前記液体仕上剤収容部外に通じる残水抜き用の水抜き穴と、前記注水口から前記水抜き穴に向かって降下する傾斜部とを有するドラム式洗濯機。
【請求項２】
略水平方向または傾斜方向に回転中心軸を有する回転ドラムと、前記回転ドラムを内包する水槽と、洗剤を収容する洗剤収容容器と、前記洗剤収容容器に設けられた洗剤収容部と、前記洗剤収容容器に設けられ液体洗剤を収容する液体洗剤収容部と、前記洗剤収容容器に注水を行う注水蓋体と、前記液体洗剤収容部内の液体洗剤を含む液体がサイフォンの原理で前記水槽内に排出される液体洗剤投入路とを備え、前記注水蓋体は、前記液体洗剤収容部に給水する給水路および注水口と、前記給水路に設けられ前記液体洗剤収容部外に通じる残水抜き用の水抜き穴と、前記注水口から前記水抜き穴に向かって降下する傾斜部とを有するドラム式洗濯機。
【発明の詳細な説明】
【技術分野】
【０００１】
本発明は、略水平方向または傾斜方向の回転軸を中心に回転自在に配設した回転ドラム内で洗濯物を洗濯、すすぎ、脱水するドラム式洗濯機に関するものである。
【背景技術】
【０００２】
従来、この種のドラム式洗濯機は図８、図９、図１０、図１１に示すように構成していた。図８は、本発明に係るドラム式洗濯機の縦断面図であり、図９は、本発明に係る洗濯機の洗剤投入部の概略構造を説明するための斜視図であり、図１０は、その給水部の構造を説明するための平面断面図であり、図１１は、洗剤収容容器および給水部の概略構造を説明するための側面断面図である。以下、その構成について説明する。
【０００３】
ドラム式洗濯乾燥機１０１（洗濯機）は、洗濯乾燥機筐体１０２（洗濯機筐体）内に図示しないサスペンション構造によって水槽１０３が宙吊り状態に配設され、水槽１０３内に有底円筒形に形成された回転ドラム１０４がその軸心方向を正面側から背面側に向けて下向きに傾斜させて配設されている。この洗濯機筐体１０２の上部に、洗剤を収容する洗剤収容容器１２１と、給水配管１０７に接続されて、洗剤収容容器１２１に給水する給水路１３１と、洗剤収容容器１２１を引き出し自在に収納する洗剤投入部枠体１４０と、を備えた洗剤投入部１２０が配設されている。
【０００４】
洗剤投入部枠体１４０は、その上面に注水蓋体１３０が固定され、注水蓋体１３０の下部に形成された空間に洗剤収容容器１２１を収納し、かつ引き出し自在に支持するとともに、その底部に洗剤液供給路１４１が形成されており、洗剤収容容器１２１に収容された洗剤に注水蓋体１３０から供給された水が混合された洗剤液は、この洗剤液供給路１４１およびこの洗剤液供給路１４１に接続された給水経路１２６を経由して、水槽１０３内に供給される。
【０００５】
洗剤収容容器１２１には、粉末合成洗剤を収容する粉末洗剤収容部１２２と、液体洗剤や液体漂白剤を収容する液体洗剤収容部１２３と、液体仕上剤を収容する液体仕上剤収容部１２４とを備えて構成されている。液体洗剤収容部１２３と液体仕上剤収容部１２４に対向する位置にそれぞれ液体洗剤受入口１２５ａと液体仕上剤受入口１２５ｂとが開口された収容部蓋板１２５が、液体洗剤収容部１２３と液体仕上剤収容部１２４の上方を覆っている。そして、液体洗剤収容部１２３と液体仕上剤収容部１２４の底部には、それぞれ管状の液体洗剤投入口１２３ｂと液体仕上剤投入口１２４ｂが上方にむけて立設されているとともに、収容部蓋板１２５には、それぞれ液体洗剤投入口１２３ｂと液体仕上剤投入口１２４ｂを外方より覆い、下端が液体洗剤収容部１２３と液体仕上剤収容部１２４の底面に達する円筒形状の一対の管状突出部１２５ｃおよび１２５ｄがそれぞれ下方に向けて立設されている。
【０００６】
注水蓋体１３０の下面には、給水路１３１を経て、液体洗剤収容部１２３に注水する注水口１３４と、液体仕上剤収容部１２４に注水する注水口１３５が形成されている。
【０００７】
このように構成された洗剤投入部１２０では、洗濯工程において、注水口１３４から液体洗剤受入口１２５ａを介して液体洗剤収容部１２３に注水される。そして、液体洗剤収容部１２３で液体洗剤を希釈拡散した洗剤液は、管状突出部１２５ｃと液体洗剤投入口１２３ｂとの間に形成された隙間を介して、サイフォンの原理により液体洗剤投入口１２３ｂ内部に導入され、その下流側に形成された洗剤液供給路１４１を経由して、水槽１０３内に供給される。また、すすぎ工程においては、注水口１３５から液体仕上剤受入口１２
５ｂを介して液体仕上剤収容部１２４に注水され、液体仕上剤収容部１２４で液体仕上剤を希釈拡散した仕上液は、管状突出部１２５ｃと液体仕上剤投入口１２４ｂとの間に形成された隙間を介して、液体仕上剤投入口１２４ｂ内部に導入され、その下流側に形成された洗剤液供給路１４１を経由して、水槽１０３内に供給される。
【先行技術文献】
【特許文献】
【０００８】
【特許文献１】特開２００８−９９９１９号公報
【発明の概要】
【発明が解決しようとする課題】
【０００９】
このような従来の構成では、給水終了後に注水蓋体の給水路に残った残水が、脱水時の振動などにより注水口部に流出することがあり、それにより、サイフォン終了後の液体洗剤収容部または液体仕上剤収容部に経路内残水が滴下し、たまってしまうという課題があった。サイフォン方式の液体洗剤収容部および液体仕上剤収容部に多くの残水が滴下して残っている場合、液体洗剤および液体仕上剤が水槽内に適切に投入されていないと勘違いされることがある。また、次回洗濯機使用時の液体洗剤および液体仕上剤投入が正常に行われなことがあるという課題を持っていた。
【００１０】
本発明は、以上のような課題に鑑みて為されたものであり、液体洗剤収容部および液体仕上剤収容部に残水が滴下することを防止し、液体洗剤および液体仕上剤投入を適切に行うことができるドラム式洗濯機を提供することを目的としている。
【課題を解決するための手段】
【００１１】
本発明の請求項１に係るドラム式洗濯機は、略水平方向または傾斜方向に回転中心軸を有する回転ドラムと、前記回転ドラムを内包する水槽と、洗剤および液体仕上剤を収容する洗剤収容容器と、前記洗剤収容容器に設けられた洗剤収容部と、前記洗剤収容容器に設けられ液体仕上剤を収容する液体仕上剤収容部と、前記洗剤収容容器に注水を行う注水蓋体と、前記液体仕上剤収容部内の液体仕上剤を含む液体がサイフォンの原理で前記水槽内に排出される液体仕上剤投入路とを備え、前記注水蓋体は、前記液体仕上剤収容部に給水する給水路および注水口と、前記給水路に設けられ前記液体仕上剤収容部外に通じる残水抜き用の水抜き穴と、前記注水口から前記水抜き穴に向かって降下する傾斜部とを有する構成としたものである。
【００１２】
これにより、脱水時、機体が振動した場合にも、注水蓋体の給水路に残った残水は、傾斜部上位にある注水口部へ流出することなく、傾斜部下位にある水抜き穴へ流出し液体仕上剤収容部外に排出されるため、液体仕上剤収容部に残水が滴下することを防止できる。
【発明の効果】
【００１３】
本発明の注水蓋体を備えたドラム式洗濯機の構成によれば、サイフォン方式を用いた液体洗剤収容部または液体仕上剤収容部へ給水路に残った残水が滴下することを防止でき、サイフォン終了後の液体洗剤収容部または液体仕上剤収容部に残水がたまってしまうことを防止することができる。
【図面の簡単な説明】
【００１４】
【図１】本発明の実施の形態１におけるドラム式洗濯機の縦断面図
【図２】同ドラム式洗濯機の洗剤投入部枠体部分の側面断面図
【図３】同ドラム式洗濯機の洗剤投入部枠体部分の構造の分解斜視図
【図４】同ドラム式洗濯機の注水蓋体の要部拡大図
【図５】本発明の実施の形態２におけるドラム式洗濯機の洗剤投入部枠体部分の側面断面図
【図６】同ドラム式洗濯機の洗剤投入部枠体部分の構造の分解斜視図
【図７】同ドラム式洗濯機の注水蓋体の要部拡大図
【図８】従来のドラム式洗濯機の縦断面図
【図９】従来のドラム式洗濯機の洗剤投入部の概略構造を説明するための斜視図
【図１０】従来のドラム式洗濯機の給水部の構造を説明するための平面断面図
【図１１】従来のドラム式洗濯機の洗剤収容容器および給水部の概略構造を説明するための側面断面図
【発明を実施するための形態】
【００１５】
第一の発明は、略水平方向または傾斜方向に回転中心軸を有する回転ドラムと、前記回転ドラムを内包する水槽と、洗剤および液体仕上剤を収容する洗剤収容容器と、前記洗剤収容容器に設けられた洗剤収容部と、前記洗剤収容容器に設けられ液体仕上剤を収容する液体仕上剤収容部と、前記洗剤収容容器に注水を行う注水蓋体と、前記液体仕上剤収容部内の液体仕上剤を含む液体がサイフォンの原理で前記水槽内に排出される液体仕上剤投入路とを備え、前記注水蓋体は、前記液体仕上剤収容部に給水する給水路および注水口と、前記給水路に設けられ前記液体仕上剤収容部外に通じる残水抜き用の水抜き穴と、前記注水口から前記水抜き穴に向かって降下する傾斜部とを有する構成としたものである。
【００１６】
これにより、脱水時、機体が振動した場合にも、注水蓋体の給水路に残った残水は、傾斜部上位にある注水口部へ流出することなく、傾斜部下位にある水抜き穴へ流出し液体仕上剤収容部外に排出されるため、液体仕上剤収容部に残水が滴下ことを防止できる。
【００１７】
第二の発明は、略水平方向または傾斜方向に回転中心軸を有する回転ドラムと、前記回転ドラムを内包する水槽と、洗剤を収容する洗剤収容容器と、前記洗剤収容容器に設けられた洗剤収容部と、前記洗剤収容容器に設けられ液体洗剤を収容する液体洗剤収容部と、前記洗剤収容容器に注水を行う注水蓋体と、前記液体洗剤収容部内の液体洗剤を含む液体がサイフォンの原理で前記水槽内に排出される液体洗剤投入路とを備え、前記注水蓋体は、前記液体洗剤収容部に給水する給水路および注水口と、前記給水路に設けられ前記液体洗剤収容部外に通じる残水抜き用の水抜き穴と、前記注水口から前記水抜き穴に向かって降下する傾斜部とを有する構成としたものである。
【００１８】
これにより、脱水時、機体が振動した場合にも、注水蓋体の給水路に残った残水は、傾斜部上位にある注水口部へ流出することなく、傾斜部下位にある水抜き穴へ流出し液体洗剤収容部外に排出されるため、液体洗剤収容部に残水が滴下ことを防止できる。
【００１９】
以下、本発明の実施の形態について、図面を参照しながら説明する。また、この実施の形態によって本発明が限定されるものではない。
【００２０】
（実施の形態１）
図１は本発明の実施の形態１におけるドラム式洗濯機の縦断面図、図２は同ドラム式洗濯機の洗剤投入部枠体部分の側面断面図、図３は同ドラム式洗濯機の洗剤投入部枠体部分の構造の分解斜視図である。
【００２１】
図１において、ドラム式洗濯機１は、洗濯機筐体２内に図示しないサスペンション構造によって水槽３が宙吊り状態に配設され、水槽３内に有底円筒形に形成された回転ドラム４が配設されている。回転ドラム４は水槽３の背面側に取り付けられたモータ６によって前上がりに傾斜した回転軸を中心に正転及び逆転方向に回転駆動される。この洗濯機筐体２の上部に、洗剤を収容する洗剤収容容器２１と、給水弁７に接続されて、洗剤収容容器２１に給水する給水路３１が設けられた注水蓋体３０とを構成する。なお、回転ドラム４
の回転軸は、本実施の形態では前上がりに傾斜させているが、略水平方向であってもよい。
【００２２】
前記注水蓋体３０の下方に、上方に開口を有する有底の断面略コの字状箱体の洗剤投入部枠体４０を配設して、この注水蓋体３０の下部に形成された空間部４０ｄに前記洗剤収容容器２１を引き出し自在に収容している。また、洗剤投入部枠体４０の底部には、給水経路２６を前記水槽３に接続配管する。
【００２３】
図２の側面断面図において、洗剤投入部枠体４０と注水蓋体３０とで囲まれた空間部４０ｄには引き出し自在に洗剤収容容器２１が収納され、注水蓋体３０には、洗剤収容容器２１に給水する水の通水路となる通水空間部３７と、その底面に多数の小孔を形成した注水口３３とを構成する。
【００２４】
また、洗剤投入部枠体４０は、その底部に洗剤液供給路４１を一体形成し、洗剤収容容器２１に収容された洗剤（粉末合成洗剤、液体洗剤など）または仕上剤（液体仕上剤など）に注水蓋体３０からの注水口３３を介して供給された水が滴下し、水と混合された洗剤液または仕上液は、洗剤液供給路４１およびこの洗剤液供給路４１に接続された給水経路２６を経由して、水槽３内に供給される。
【００２５】
図３の分解斜視図は、洗剤投入部枠体４０から、洗剤収容容器２１を所定位置以上に引き出し、かつ、注水蓋体３０を上方に取り外した分解状態を示している。また図４は注水蓋体３０の要部拡大図である。
【００２６】
図２〜図４において、前記注水蓋体３０は、ポリプロピレン樹脂等で構成した２枚の樹脂成形板が熱溶着されることにより、通水空間部３７を構成し、この通水空間部３７に粉末洗剤収容部２２と液体洗剤収容部２３に水を供給する第１の給水路３１ａと、液体仕上剤収容部２４に水を供給する第２の給水路３１ｂが形成される。
【００２７】
また、洗剤収容容器２１は、洗剤投入部枠体４０に、引き出し自在に収容され、粉末合成洗剤を収容する粉末洗剤収容部２２と、液体洗剤や液体漂白剤を収容する液体洗剤収容部２３と、液体仕上剤を収容する液体仕上剤収容部２４が併設され、洗濯時には前記注水蓋体３０の第１の給水路３１ａから粉末洗剤収容部２２および液体洗剤収容部２３に給水され、すすぎ時には、第２の給水路３１ｂから液体仕上剤収容部２４に給水される。
【００２８】
前記粉末洗剤収容部２２の下流側には粉末洗剤投入路２２ａが形成され、液体洗剤収容部２３の外底部下流側には液体洗剤投入路２３ａが形成され、液体仕上剤収容部２４の外底部下流側には液体仕上剤投入路２４ａが形成され、いずれも給水弁７から給水された水に希釈されて、洗剤液または仕上剤が空間部４０ｄより前記洗剤液供給路４１に流れる様に構成している。
【００２９】
液体仕上剤収容部２４に対向する位置に、液体仕上剤を投入する液体仕上剤受入口２５ｂが開口された収容部蓋板２５が、液体仕上剤収容部２４の上方を覆っている。そして、液体仕上剤収容部２４の底部には、管状の液体仕上剤投入口２４ｂが下端部を液体仕上剤投入路２４ａに向けて開口して上方にむけて立設されているとともに、収容部蓋板２５には、液体仕上剤投入口２４ｂを外方より覆い、下端が液体仕上剤収容部２４の底面に達する円筒形状の管状突出部２５ｃが下方に向けて立設されている。
【００３０】
また、前記注水蓋体３０には、前記第２の給水路３１ｂに設けられ前記液体洗剤収容部２３上方に位置した残水抜き用の水抜き穴３５と、前記注水口３３から前記水抜き穴３５に向かって降下する傾斜部３６が設けられている。
【００３１】
このように構成された洗剤投入部では、すすぎ工程において、注水口３３から液体仕上剤受入口２５ｂを介して液体仕上剤収容部２４に注水され、液体仕上剤収容部２４で液体仕上剤を希釈拡散した仕上液は、管状突出部２５ｃと液体仕上剤投入口２４ｂとの間に形成された隙間を介して、サイフォンの原理により液体仕上剤投入口２４ｂ内部に導入され、その下流側に形成された洗剤液供給路４１を経由して、水槽３内に供給される。
【００３２】
そして、サイフォン終了後に前記第２の給水路３１ｂに残った残水は、脱水時等、機体が振動した場合に、前記傾斜部３６の上位にある注水口３３へ流出することなく、前記傾斜部３６の下位にある水抜き穴３５へ導かれ前記液体洗剤収容部２３より排出されるようにしている。これにより、前記第２の給水路３１ｂに残った残水が、液体仕上剤収容部に滴下することを防止している。
【００３３】
以上のような注水蓋体３０の構成により、給水路に逆止弁などの別部品の追加なしに、給水路に残った残水が、脱水時の振動などでサイフォン方式を用いた液体仕上剤収容部に滴下するといった課題を解決することができる。
【００３４】
（実施の形態２）
図５は同ドラム式洗濯機の洗剤投入部枠体部分の側面断面図、図６は同ドラム式洗濯機の洗剤投入部枠体部分の構造の分解斜視図、図７は注水蓋体３０の要部拡大図である。
【００３５】
本実施の形態２の特徴は図５〜図７に示すように、前記実施の形態１の構成において、サイフォン方式で液体洗剤を供給する液体洗剤の収容部を液体洗剤収容部２３とし、注水蓋体３０に設けられた残水抜き用の水抜き穴３５の位置を液体洗剤収容部２３に併設された排出経路２７の上方としたことにある。
【００３６】
即ち、図５の断面図および図６、図７の斜視図において、洗剤収容容器２１は、粉末合成洗剤を収容する粉末洗剤収容部２２と、液体洗剤や液体漂白剤を収容する液体洗剤収容部２３と、前記液体洗剤収容部２３に併設する位置に設けられた排出経路２７を有し、前記液体洗剤収容部２３に対向する位置には、液体洗剤を投入する液体洗剤受入口２５ａが開口された収容部蓋板２５が、液体洗剤収容部２３の上方を覆っている。そして、液体洗剤収容部２３の底部には、管状の液体洗剤投入口２３ｂが下端部を液体洗剤投入路２３ａに向けて開口して上方にむけて立設されているとともに、収容部蓋板２５には、液体洗剤投入口２３ｂを外方より覆い、下端が液体洗剤収容部２３の底面に達する円筒形状の管状突出部２５ｃが下方に向けて立設されている。
【００３７】
また、前記注水蓋体３０には、前記第１の給水路３１ａに設けられ前記排出経路２７の上方に位置した残水抜き用の水抜き穴３５と、前記注水口３３から前記水抜き穴３５に向かって降下する傾斜部３６が設けられている。
【００３８】
このように構成された洗剤投入部では、洗濯工程において、注水口３３から液体洗剤受入口２５ａを介して液体洗剤収容部２３に注水され、液体洗剤収容部２３で液体洗剤を希釈拡散した洗剤液は、管状突出部２５ｃと液体洗剤投入口２３ｂとの間に形成された隙間を介して、サイフォンの原理により液体洗剤投入口２３ｂ内部に導入され、その下流側に形成された洗剤液供給路４１を経由して、水槽３内に供給される。
【００３９】
そして、サイフォン終了後に前記第１の給水路３１ａに残った残水は、脱水時等、機体が振動した場合に、前記傾斜部３６の上位にある注水口３３へ流出することなく、前記傾斜部３６の下位にある水抜き穴３５へ導かれ、前記排出経路２７より排出されるようにしている。これにより、前記第１の給水路３１ａに残った残水が、液体洗剤収容部に滴下す
ることを防止している。
【００４０】
以上のような注水蓋体３０の構成により、給水路に逆止弁などの別部品の追加なしに、給水路に残った残水が、脱水時の振動などでサイフォン方式を用いた液体洗剤収容部に滴下するといった課題を解決することができる。
【産業上の利用可能性】
【００４１】
以上のように、本発明にかかるドラム式洗濯機は、注水蓋体３０の構成により、給水路に残った残水が、脱水時の振動などでサイフォン方式を用いた洗剤収容部や液体仕上剤収容部に滴下するのを防止できるため、サイフォン方式の洗剤収容部や液体洗剤収容部を持つ洗剤収容容器を備えたドラム式洗濯機等として有用である。
【符号の説明】
【００４２】
２  洗濯機筐体
３  水槽
４  回転ドラム
６  モータ
２１  洗剤収容容器
２２  粉末洗剤収容部
２３  液体洗剤収容部
２３ｂ  液体洗剤投入口
２４  液体仕上剤収容部
２４ａ  液体仕上剤投入路
２４ｂ  液体仕上剤投入口
２５  収容部蓋板
２５ｂ  液体仕上剤受入口
２５ｃ  管状突出部
３０  注水蓋体
３１ａ  第１の給水路
３１ｂ  第２の給水路
３３  注水口
３５  水抜き穴
３６  傾斜部
４０  洗剤投入部枠体
【図１】
2013009810.tif 000003
【図２】
2013009810.tif 000004
【図３】
2013009810.tif 000005
【図４】
2013009810.tif 000006
【図５】
2013009810.tif 000007
【図６】
2013009810.tif 000008
【図７】
2013009810.tif 000009
【図８】
2013009810.tif 000010
【図９】
2013009810.tif 000011
【図１０】
2013009810.tif 000012
【図１１】
2013009810.tif 000013